(57)【要約】      （修正有）【課題】レジスタ側で生じた違算を釣銭額で補正するか、売上額で補正するかを選択可能にするための手段を提供する。【解決手段】釣銭用硬貨収納庫２４および釣銭用紙幣収納庫３４と、硬貨回収庫２５および紙幣回収庫３５とを有し、レジスタから回収されてきた現金を入金する際、入金額の入力画面を表示し、入金額が入力されたか否かに応じて釣銭優先あるいは売上優先で収納するかを決定し、釣銭優先で収納する場合、レジスタに釣銭用の現金として出金していた金額分の現金を釣銭用硬貨収納庫２４、釣銭用紙幣収納庫３４に収納して残った現金を硬貨回収庫２５、紙幣回収庫３５に収納し、売上優先で収納する場合、売上額分の現金を硬貨回収庫２５、紙幣回収庫３５に収納して残った現金を釣銭用硬貨収納庫２４、釣銭用紙幣収納庫３４に収納することを特徴とする。【選択図】図５
2008112275.tif 000002
【特許請求の範囲】
【請求項１】
レジスタに補充される釣銭用の現金を収納する釣銭用収納庫と、レジスタから回収されて入金された現金の内の売上額分を収納する回収庫とを有する現金入出金機であって、
レジスタから回収されてきた現金を入金する際、売上額を入力させる画面を表示し、その画面に売上額が入力されたか否かに応じて、釣銭優先で収納するかまたは売上優先で収納するかを決定し、
釣銭優先で収納する場合、前記レジスタに釣銭用の現金として出金していた金額分の現金を前記釣銭用収納庫に収納して残った現金を回収庫に収納し、
売上優先で収納する場合、売上額分の現金を前記回収庫に収納して残った現金を前記釣銭用収納庫に収納することを特徴とする現金入出金機。
【請求項２】
請求項１において、
レジスタへの釣銭用の現金を出金する際、係員によって入力された出金金額を記憶しておく記憶手段を有し、
入金の際、係員による売上額の入力が無く、現金を収納する指示が入力されたときに、前記記憶手段に記憶している出金金額を読み出して、入金された現金の内、前記出金金額分の現金を前記釣銭用収納庫に収納し、その後残った現金を前記回収庫に収納することを特徴とする現金入出金機。
【請求項３】
請求項２において、
前記回収庫の内部を仕切って、現金を金種別に収納したことを特徴とする現金入出金機。
【発明の詳細な説明】
【技術分野】
【０００１】
本発明は、小売店等に設置されるレジスタに補充される釣銭用の現金の出金処理や、レジスタから回収した現金の入金処理、及び締上げ処理を行う現金入出金機に関するものである。
【背景技術】
【０００２】
従来の現金入出金機は、小売店の店舗に設置されたレジスタに収納するための釣銭用の現金を釣銭用現金収納庫から出金する出金機能、レジスタから回収した売上金等の現金を入金し、釣銭分の現金は釣銭用現金収納庫に収納すると共に、売上分の現金は現金回収庫に収納する入金機能等を有している（例えば、特許文献１参照）。
このような現金入出金機は、レジスタ毎に出金した釣銭分の金額や一日の売上金を集計することでその日の店舗の売上等を管理しており、例えばレジスタ側で顧客との取引時に買い物客に対しておつりを１０円渡すべきところを誤って１００円渡したために、レジスタ内にある現金がレジスタで計数していた金額に対して９０円不足している場合、そのレジスタから回収した現金を現金入出金機に入金した際には入金された現金の内、釣銭分もしくは売上分から不足している金額である９０円を差し引くことで、不足分を補正するようにしている。
【特許文献１】特開２００５−０３８０６２号公報（段落「００２７」−段落「００５１」、第１図）
【発明の開示】
【発明が解決しようとする課題】
【０００３】
しかしながら、上述した従来の技術においては、入金処理時にレジスタ側での取引の際に生じた現金の不足を釣銭分あるいは売上分のどちらから差し引くかは、最初から現金入出金機に設定されているものであり、店舗側がその設定を変更できず、不足の現金を補正する方法の使い分けを選択できなかったため、現金入出金機の設定に合った方法で現金の不足分を補正しなくてはならないという問題がある。
【０００４】
本発明は、上記の問題点を解決するための手段を提供することを目的とする。
【課題を解決するための手段】
【０００５】
本発明は、上記課題を解決するために、レジスタに補充される釣銭用の現金を収納する釣銭用収納庫と、レジスタから回収されて入金された現金の内の売上額分を収納する回収庫とを有する現金入出金機であって、レジスタから回収されてきた現金を入金する際、売上額を入力させる画面を表示し、その画面に売上額が入力されたか否かに応じて、釣銭優先で収納するかまたは売上優先で収納するかを決定し、釣銭優先で収納する場合、前記レジスタに釣銭用の現金として出金していた金額分の現金を前記釣銭用収納庫に収納して残った現金を回収庫に収納し、売上優先で収納する場合、売上額分の現金を前記回収庫に収納して残った現金を前記釣銭用収納庫に収納することを特徴とする。
【発明の効果】
【０００６】
このようにして、本発明は、釣銭優先方式または売上優先方式のどちらで入金処理を行うかを決めることで、レジスタでお釣りの渡し間違い等によるレジ違算が発生し、レジスタ内に有る現金とレジスタで計数していた金額とに差額が生じてしまった場合でも、店舗の運用方針に従い、釣銭用現金を差し引いて違算を補正するか、売上金を差し引いて違算を補正するかを決めることができるという効果が得られる。
【発明を実施するための最良の形態】
【０００７】
以下に、図面を参照して本発明による現金入出金機の実施例について説明する。
【実施例１】
【０００８】
図１は実施例１の現金入出金機の外観を示す正面図、図２は実施例１の現金入出金機の外観を示す側面図である。
図１、図２において、１は現金入出金機であり、レジスタを使用する小売店等に設置され、レジスタへの釣銭準備金や補充する釣銭の出金及びレジスタから回収された現金の入金等を行って店舗の現金を管理する。
【０００９】
なお、現金入出金機１は入出金処理等を行った結果を上位装置に送信しており、上位装置側では現金入出金機１ごとの各種の処理結果等を管理するようにしている。
ここで、図３は現金入出金機と上位装置との接続例を示す説明図であり、（ａ）は店舗内で上位装置と接続した例を示し、（ｂ）は通信回線を介して上位装置と接続した例を示している。
【００１０】
この上位装置は現金入出金機１が設置されている店舗内に設置するようにしてもよく、また管理センタ等のように店舗外に設置してもよい。
上位装置を店舗内に設置した場合は図６（ａ）に示すようにＬＡＮによって店舗内に設置された上位装置と現金入出金機１とを接続する。
また、上位装置を店舗外に設置した場合は図６（ｂ）に示すように、ＩＳＤＮ回線等のインターネット回線を介して上位装置と現金入出金機１とを接続する
２は硬貨（現金）の入出金処理を行う硬貨取扱部、３は紙幣（現金）の入出金処理を行う紙幣取扱部である。
【００１１】
４はＬＣＤ等による表示部で、各種の処理操作の案内、現金処理のための入力画面や入力された情報、及び金種別の入出金金額や入出金の合計金額等を表示する。
５はレジスタの現金を入出金するレジ担当者や売上の締めを行う管理者（係員）が操作するキーボードあるいは表示部４上に配置されたタッチパネル等の操作部で、入金処理や出金処理、締上げ処理、回収処理等を行うことを指示（入力）するためのキーや金額等を入力するためのテンキー等を備えている。
【００１２】
６はカードリーダで、当該現金入金機１の利用者であるレジ担当者や管理者等がそれぞれ携帯するＩＤカードを受け入れ、そのＩＤカード情報を読取る機能を有している。
なお、レジ担当者のＩＤカードには、店舗Ｎｏ等のレジ担当者が居る店舗を特定する情報や、レジ番号等のレジスタを特定する情報も記録されている。
図４は実施例１の現金入出金機を示すブロック図である。
【００１３】
図４において、７は伝票印刷部（印刷部）で、硬貨取扱部２や紙幣取扱部３で行われた入金処理や出金処理の金額、金種別枚数等を伝票に記録（印字）して出力するものである。
８は記憶部で、入金・出金処理履歴、釣銭収納庫入出金履歴、回収庫入金履歴等を格納するカウンタテーブルを有し、またこの記憶部８には後述する主制御部が実行する制御プログラムが格納され、更に主制御部による処理結果も記憶するものとなっている。
【００１４】
９は記憶部８に格納された制御プログラムに基づいて装置全体の制御を行う主制御部で、本実施例では記憶部８のカウンタテーブルに登録する入金や出金処理等の各取引処理の履歴を管理し、必要に応じて履歴情報の書込み、更新を行う他、操作部５から入力される締上げ処理要求に応じて、締上げ処理完了の入金情報及び出金情報を基にレジスタの売上金額合計、釣銭収納庫内の収納金額を演算する演算部として機能する。
【００１５】
後述する硬貨取扱部２の硬貨処理制御部２８及び紙幣取扱部３の紙幣処理制御部３７はこの主制御部９の指示により硬貨取扱部２及び紙幣取扱部３を制御するものとなっている
図５は実施例１の硬貨取扱部を示すブロック図である。
図５において、硬貨取扱部２は、レジスタから回収した硬貨を一括して受け入れる硬貨入金部２１と、この硬貨入金部２１で受け入れた硬貨を１枚ずつ分離する図示しない分離部と、硬貨の金種等を鑑別すると共に鑑別した硬貨を金種毎に計数する硬貨鑑別部２２と、この硬貨鑑別部２２で鑑別計数された硬貨を一時保留する硬貨一時保留部２３と、レジスタ用の釣銭準備金として使用する硬貨を金種別に収納する複数の釣銭用硬貨収納庫（釣銭用収納庫）２４、入金硬貨を金種別に収納する硬貨回収庫（回収庫）２５と、釣銭用の硬貨を出金するための出金箱２６、図示しない記憶部に格納された制御プログラムに基づいて硬貨取扱部２全体の動作制御を行う硬貨処理制御部２８等を有している。
【００１６】
ここで釣銭用硬貨収納庫２４と出金箱２６は金種毎に分けて硬貨を集積、収納できるように内部が区切られており、硬貨回収庫２５は硬貨を金種に関係なく一括して硬貨を収納するようになっている。
また、硬貨入金部２１と硬貨鑑別部２２との間には分離部により分離された硬貨を搬送する搬送ベルト等による搬送路が設けられ、釣銭用硬貨収納庫２４と硬貨回収庫２５及び出金箱２６との間には、釣銭用硬貨収納庫２４から排出される硬貨を硬貨回収庫２５と出金箱２６のいずれかに振分ける振分け手段と、通過する硬貨を金種毎に計数する計数手段が設けられている。  
【００１７】
出金箱２６は、現金入出金機１から着脱可能な構成となっており、釣銭準備金を出金箱２６に収納した場合、レジ担当者はその出金箱２６を現金入出金機１から取り外してレジスタに運ぶようにしている。
その後、出金箱２６をレジスタに直接取り付けることで釣銭準備金の補充を行うようにしてもよく、あるいは出金箱２６から硬貨をレジスタに移すようにしてもよい。
【００１８】
図６は実施例１の紙幣取扱部を示すブロック図である。
図６において、紙幣取扱部３は、入金処理時にレジスタから回収した紙幣を一括して受け入れると共に出金処理時に釣銭としての紙幣を排出する紙幣入出金口３１と、この紙幣入出金口３１に受け入れた紙幣を１枚ずつ分離する図示しない分離部と、紙幣の金種等を鑑別すると共に鑑別した紙幣を金種毎に計数する紙幣鑑別部３２と、この紙幣鑑別部３２で鑑別計数された紙幣を集積して一時保留する紙幣一時保留部３３と、レジスタ用の釣銭準備金として使用する特定金種（例えば、五千円、千円）の紙幣を金種別に収納する釣銭用紙幣収納庫（釣銭用収納庫）３４と、入金紙幣を一括して収納する紙幣回収庫（回収庫）３５と、紙幣を搬送ベルト等で挟持して搬送する搬送路と、図示しない記憶部に格納された制御プログラムに基づいて紙幣取扱部３全体の動作制御を行う紙幣処理制御部３７を備えている。
【００１９】
尚、紙幣一時保留部３３には紙幣を繰出す繰出し手段が設けられている。
上述した構成の作用について説明する。
現金入出金機１を用いてレジスタに補充する釣銭準備金の出金処理を行う場合、レジ担当者はＩＤカードを現金入出金機のカード挿入返却口に挿入すると、現金入出金機の主制御部９はカードリーダ６によってＩＤカードから利用者の区分、レジＮｏとを読み取り、表示部４にレジ担当者の個人ＩＤ（利用者ＩＤ）、パスワードの入力を促す画面を表示する。
【００２０】
このとき、主制御部９は読み取った利用者の区分とレジＮｏとを対応付けて記憶部８に記憶する。
レジ担当者が操作部５を操作して自分の個人ＩＤ（利用者ＩＤ）、パスワードを入力すると、主制御部９は入力された個人ＩＤ、パスワードを予め記憶部８等に登録されている個人ＩＤ、パスワードと照合し、正当であることを確認し、ＩＤカードから読み取った利用者区分に基づき、レジ担当者が操作可能な「出金」、「入金」を選択するメニュー画面を表示部４に表示する。
【００２１】
レジ担当者が操作部５を操作してメニュー画面から「出金」を選択し、主制御部９は、レジ担当者によってメニュー画面から「出金」の選択入力を受付けると、表示部４に出金する現金の金種毎の枚数入力欄等を配した出金額入力画面を表示する。
レジ担当者は釣銭準備金の金種毎の出金枚数を入力する。
なお、ここで、出金額入力画面に出金する金種毎の枚数の出金パターンをいくつか表示し、レジ担当者に表示している出金パターンの１つを選択させるようにしてもよい。
【００２２】
主制御部９は、レジ担当者による金種毎の出金金額（硬貨及び紙幣の金種毎の枚数）の入力を受付けると、その出金金額と硬貨取扱部２の釣銭硬貨収納庫２４及び紙幣取扱部３の釣銭紙幣収納庫３４内の現金を比較して出金可能であることを確認し、当該出金金額を上記で記憶したレジＮｏに対応付けて記憶部８に記憶しておき、該当金種の硬貨及び紙幣を釣銭用硬貨収納庫２４及び釣銭用紙幣収納庫３４から繰出し、硬貨鑑別部２２や紙幣鑑別部３２で鑑別、計数され、出金箱２６や紙幣入出金口３１に搬送する。
【００２３】
主制御部９は、記憶部８から出金処理の金額とレジＮｏとを読み出し、伝票印刷部７によって出金金額とレジＮｏを印字した伝票をレジ担当者に出力する。
次にレジ担当者がレジスタから回収した現金を入金する入金処理について説明する。
ここで図７に示す実施例１の現金入出金機の入金処理を示すフローチャートを用いて、Ｓで示すステップに従って説明する。
【００２４】
Ｓ１、主制御部９は表示部４にＩＤカードの挿入を促す文言等を配した待機画面を表示して待機しており、レジスタから回収した現金を現金入出金機に入金させるレジ担当者が自分のＩＤカードをカード挿入排出口に挿入すると、カードリーダによってＩＤカードから利用者の区分、レジＮｏとを読み取る。
Ｓ２、主制御部９は、表示部４にレジ担当者の個人ＩＤ（利用者ＩＤ）、パスワードの入力を促す画面を表示し、レジ担当者がＩＤカードの挿入後、操作部５を操作して自分の個人ＩＤ（利用者ＩＤ）、パスワードを入力すると、レジ担当者が入力した個人ＩＤ、パスワードを予め記憶部８等に登録されている個人ＩＤ、パスワードと照合し、正当であることを確認する。
【００２５】
Ｓ３、主制御部９は、ＩＤカードから読み取った利用者区分に基づき、レジ担当者が操作可能な「出金」、「入金」を選択するメニュー画面を表示部４に表示する。
レジ担当者は、操作部５を操作してメニュー画面から「入金」を選択する。
Ｓ４、主制御部９は、レジ担当者によってメニュー画面から「入金」の選択入力を受付けると、表示部４に売上額の入力欄、入金処理を実行するための「実行」キー、釣銭優先方式または売上優先方式で現金を入金する方法を説明する文言、例えば「釣銭優先方式で入金する場合は入力欄に売上額を入力せずに実行キーを押下し、売上優先方式で入金を行う場合は入力欄に売上額を入力して実行キーを押下してください。」のような文言等を配した入金方式選択画面を表示する。
【００２６】
ここで、釣銭優先方式とは、入金された現金から予めレジスタに出金していた釣銭準備金分の現金を釣銭用硬貨収納庫２４及び釣銭用紙幣収納庫３４に収納し、残りの現金を硬貨回収庫２５及び紙幣回収庫３５に収納する方式である。
売上優先方式とは、入金された現金からその日の売上額分の現金を硬貨回収庫２５及び紙幣回収庫３５に収納し、残りの現金を釣銭用硬貨収納庫２４及び釣銭用紙幣収納庫３４に収納する方式である。なおこの時に必要な売上額は、上記入金方式選択画面の売上額の入力欄に入力された額を用いるものとする。
【００２７】
レジ担当者は、釣銭優先方式に従って入金処理を行う場合は売上額の入力欄に何も入力せずに「実行」キーを押下する。また売上優先方式に従って入金処理を行う場合は売上額の入力欄にその日の売上額を入力してから「実行」キーを押下する。
Ｓ５、主制御部９は、レジ担当者によって入金方式選択画面から「実行」キーの入力を受付けた際に、売上額が入力されているか否かを判断して、その売上額入力の有無の情報を記憶部８に記憶しておき、入出金口開放指示を硬貨処理制御部２８及び紙幣処理制御部３７に送って、硬貨入金部２１及び紙幣入出金口３１に設けられているシャッタをそれぞれ開放する。
【００２８】
主制御部９は、売上額が入力されていれば、挿入されているＩＤカードのレジＮｏをもとに記憶部８に記憶しているレジＮｏを検索し、該当するレジＮｏに対応付けて入力された売上額を記憶する。
Ｓ６、主制御部９は、レジ担当者がレジスタから回収した現金である硬貨及び紙幣を硬貨入金部２１及び紙幣入出金口３１に投入すると、その現金を受け入れて硬貨鑑別部２２及び紙幣鑑別部３２で鑑別、計数して硬貨一時保留部２３または紙幣一時保留部３３に集積して一時保留する。
【００２９】
Ｓ７、主制御部９は、金種ごとの枚数及び金額、全金種の合計額を計数結果として表示部４に表示し、レジ担当者に金額を確認させて収納の可否（ＯＫ／ＮＧ）を入力させ、ＯＫの確認結果の入力を認識して、上記ステップＳ５で記憶部８に記憶した売上額入力の有無の情報を読み出し、その情報から売上額が入力されている場合はステップＳ９に移行し、売上額が入力されていない場合は次のステップＳ８に進む。
【００３０】
Ｓ８、主制御部９は、売上額が入力されていないと判断し、入金処理を釣銭優先方式で行うものとし、挿入されているレジ担当者のＩＤカードのレジＮｏを読み出し、そのレジＮｏをもとに記憶部８に記憶している釣銭準備金を読み出しておき、一時保留した硬貨及び紙幣の内、釣銭準備金の分を釣銭用硬貨収納庫２４及び釣銭用紙幣収納庫３４に収納し、残りを硬貨回収庫２５及び紙幣回収庫３５に収納し、ステップＳ１０に移行する。
【００３１】
Ｓ９、上記ステップＳ７で売上額が入力されていると判断した主制御部９は、入金処理を売上優先方式で行うものとし、挿入されているレジ担当者のＩＤカードのレジＮｏを読み出し、そのレジＮｏをもとに記憶部８に記憶している売上額を読み出しておき、一時保留した硬貨及び紙幣の内、売上額の分を硬貨回収庫２５及び紙幣回収庫３５に収納し、残りを釣銭用硬貨収納庫２４及び釣銭用紙幣収納庫３４に収納に収納し、ステップＳ１０に進む。
【００３２】
Ｓ１０、主制御部９は、釣銭用硬貨収納庫２４、硬貨回収庫２５、釣銭用紙幣収納庫３４、紙幣回収庫３５への現金の収納が終了すると、今回の処理結果として通番、レジＮｏ、利用者ＩＤ、処理日時、釣銭収納額、売上収納額等を記憶部８のカウンタテーブルに書込んで更新し、更に伝票印刷部７で処理結果を印字した入金伝票をレジ担当者に発行して入金処理を終了する。
【００３３】
このようにして、入金処理を行うときに売上額の入力の有無によって釣銭優先方式または売上優先方式が決定し、その方式に従って入金された硬貨と紙幣とを釣銭用硬貨収納庫２４及び釣銭用紙幣収納庫３４、あるいは硬貨回収庫２５及び紙幣回収庫３５に収納している。
例えばレジ精算時に買い物客に対しておつりを１０円渡すべきところを誤って１００円渡してしまった場合、差額９０円分が店舗側で想定した金額よりも少なくなり、１０００００円を釣銭準備金として出金していて、９０００００円の売上金があったときに１００００００円の現金が９０円不足した９９９９１０円がレジスタから回収され、その現金が現金入出金機１に入金された際、釣銭優先方式の場合は、レジスタに出金していた１０００００円分を釣銭用硬貨および釣銭用紙幣として釣銭用硬貨収納庫２４及び釣銭用紙幣収納庫３４に収納し、残りの８９９９１０円分を売上金として硬貨回収庫２５及び紙幣回収庫３５に収納する。
【００３４】
売上優先方式の場合は、レジ担当者が表示部４に表示された入金方式選択画面の売上額の入力欄に９０００００円を入力することで、その９０００００円を売上額として優先的に硬貨回収庫２５及び紙幣回収庫３５に収納し、残りの９９９１０円分を釣銭用硬貨収納庫２４及び釣銭用紙幣収納庫３４に収納する。
以上説明したように、本実施例では、入金処理を行う際に売上額を入力したか否かに応じて釣銭優先で現金を収納するかまたは売上優先で現金を収納するかを決定でき、レジスタでお釣りの渡し間違いによるレジ違算でレジスタ内に有る現金と売上額とに差額が生じてしまった場合に、店舗の運用方針に従った方法でその違算を補正することができる。
【００３５】
なお、上記実施例１において、ＩＤカードは磁気カードであってもＩＣカードであってもよいものとする。またＩＤカードにＩＤカード情報を含むバーコード情報を印刷して、カードリーダ６はバーコード情報を読み取るための機能を設けることで、カードリーダ６によってバーコード情報を読み取るようにしてもよい。
【実施例２】
【００３６】
図８は実施例２の硬貨取扱部を示すブロック図、図９は実施例２の紙幣取扱部を示すブロック図である。
本実施例は、上記実施例１に対して硬貨回収庫２５は、図８に示すように金種毎に分けて硬貨を集積、収納できるように内部を区切るようにして構成し、また紙幣回収庫３５は図９に示すように金種毎に分けて紙幣を集積、収納できるように内部を区切るようにして構成している点が相違する。
【００３７】
本実施例の構成の作用について説明する。
入金処理を行った場合、現金入出金機１の硬貨入金部２１及び紙幣入出金口３１に投入された硬貨及び紙幣は、上記実施例１と同様にしてレジ担当者による売上額の入力の有無で決定する釣銭優先方式あるいは売上優先方式に従い、硬貨を釣銭用硬貨収納庫２４及び硬貨回収庫２５に、紙幣を釣銭用紙幣収納庫３４及び紙幣回収庫３５に収納する。
【００３８】
このとき、硬貨回収庫２５に収納される硬貨を金種毎に分けて収納し、紙幣回収庫３５に収納される紙幣を金種毎に分けて収納する。
以上説明したように、本実施例では、上記実施例１の効果に加えて、硬貨回収庫および紙幣回収庫に収納する硬貨および紙幣を金種毎に分ける、つまり売上金を金種別に仕分けして収納するため、現金を金種毎に分けて整理する整理機としても使用可能である。
【図面の簡単な説明】
【００３９】
【図１】実施例１の現金入出金機の外観を示す正面図
【図２】実施例１の現金入出金機の外観を示す側面図
【図３】現金入出金機と上位装置との接続例を示す説明図
【図４】実施例１の現金入出金機を示すブロック図
【図５】実施例１の硬貨取扱部を示すブロック図
【図６】実施例１の紙幣取扱部を示すブロック図
【図７】実施例１の現金入出金機の入金処理を示すフローチャート
【図８】実施例２の硬貨取扱部を示すブロック図
【図９】実施例２の紙幣取扱部を示すブロック図
【符号の説明】
【００４０】
１  現金入出金機
２  硬貨取扱部
３  紙幣取扱部
４  表示部
５  操作部
６  カードリーダ
７  伝票印刷部
８  記憶部
９  主制御部
２１  硬貨入金部
２２  硬貨鑑別部
２３  硬貨一時保留部
２４  釣銭用硬貨収納庫
２５  硬貨回収庫
２６  出金箱
２８  硬貨処理制御部
３１  紙幣入出金口
３２  紙幣鑑別部
３３  紙幣一時保留部
３４  釣銭用紙幣収納庫
３５  紙幣回収庫
３７  紙幣処理制御部
【図１】
2008112275.tif 000003
【図２】
2008112275.tif 000004
【図３】
2008112275.tif 000005
【図４】
2008112275.tif 000006
【図５】
2008112275.tif 000007
【図６】
2008112275.tif 000008
【図７】
2008112275.tif 000009
【図８】
2008112275.tif 000010
【図９】
2008112275.tif 000011